(57)【要約】【課題】デジタルダッシュボードの表示情報に別途表示したい付属情報を必要なタイミングで必要な分だけデータを取得し、付属情報の表示レイアウトを設定することができる情報表示装置、情報表示方法および情報表示プログラムを提供することを課題とする。【解決手段】記憶部１０６には、データ取得対象と抽出条件項目とを設定する付属情報取得定義マスタ１０６ａと、取得タイミングと受け渡し項目とを設定する付属情報抽出条件定義マスタ１０６ｂと、表示対象項目とレイアウトとを設定する付属情報レイアウト定義マスタ１０６ｃとを含み、制御部１０２は、取得タイミングが到来すると、データ取得対象を参照して、抽出条件項目と受け渡し項目とに基づいて付属情報を取得するデータ取得部１０２ａと、取得したデータの表示対象項目についてレイアウト設定に基づいて付属情報を画面上に表示するデータ表示部１０２ｂとを備える。【選択図】図１
2018165896.tif 000002
【特許請求の範囲】
【請求項１】
記憶部と制御部とを備え、デジタルダッシュボードの表示情報を表示後、別途必要な付属情報を表示する情報表示装置であって、
前記記憶部には、
前記付属情報を表示するデータを取得するデータ取得対象と、該データ取得対象に対してどの項目を抽出条件としてデータを取得するかを決める抽出条件項目とを設定する付属情報取得定義マスタと、
前記付属情報を表示するデータをどのタイミングで取得するかを決める取得タイミングと、どの項目を前記抽出条件として受け渡すかを決める受け渡し項目とを設定する付属情報抽出条件定義マスタと、
取得した前記データのどの項目を表示対象とするかを決める表示対象項目と、該表示対象項目をどのように画面に表示するかを決めるレイアウトとを設定する付属情報レイアウト定義マスタと、
を含み、
前記制御部は、
前記付属情報抽出条件定義マスタに設定された前記取得タイミングが到来すると、前記付属情報取得定義マスタに設定された前記データ取得対象を参照し、該データ取得対象から前記抽出条件項目と、前記付属情報抽出条件定義マスタに設定された前記受け渡し項目とに基づいて前記付属情報を表示するデータを取得するデータ取得手段と、
取得したデータのうち、前記付属情報レイアウト定義マスタに設定された前記表示対象項目について、前記レイアウトの設定に基づいて前記付属情報を画面に表示するデータ表示手段と、
を備えたことを特徴とする情報表示装置。
【請求項２】
前記記憶部には、
データベースとして前記付属情報を表示するデータを記憶する付属情報表示データ記憶部を
更に含み、
前記付属情報取得定義マスタに設定されるデータ取得対象は、
前記付属情報表示データ記憶部であること
を特徴とする請求項１に記載の情報表示装置。
【請求項３】
前記付属情報抽出条件定義マスタに設定される取得タイミングは、
設定された前記受け渡し項目が画面上で一意になったタイミングであること
を特徴とする請求項１に記載の情報表示装置。
【請求項４】
前記付属情報レイアウト定義マスタに設定されるレイアウトは、
前記付属情報の配置、サイズ、色、および文字や画像などの表示形式のうち少なくとも一つであること
を特徴とする請求項１に記載の情報表示装置。
【請求項５】
前記制御部は、
取得したデータを集計するデータ集計手段
を更に備えたことを特徴とする請求項１に記載の情報表示装置。
【請求項６】
記憶部と制御部とを備え、デジタルダッシュボードの表示情報を表示後、別途必要な付属情報を表示する情報表示装置で実行される情報表示方法であって、
前記記憶部には、
前記付属情報を表示するデータを取得するデータ取得対象と、該データ取得対象に対してどの項目を抽出条件としてデータを取得するかを決める抽出条件項目とを設定する付属情報取得定義マスタと、
前記付属情報を表示するデータをどのタイミングで取得するかを決める取得タイミングと、どの項目を前記抽出条件として受け渡すかを決める受け渡し項目とを設定する付属情報抽出条件定義マスタと、
取得した前記データのどの項目を表示対象とするかを決める表示対象項目と、該表示対象項目をどのように画面に表示するかを決めるレイアウトとを設定する付属情報レイアウト定義マスタと、
を含み、
前記制御部で実行される、
前記付属情報抽出条件定義マスタに設定された前記取得タイミングが到来すると、前記付属情報取得定義マスタに設定された前記データ取得対象を参照し、該データ取得対象から前記抽出条件項目と、前記付属情報抽出条件定義マスタに設定された前記受け渡し項目とに基づいて前記付属情報を表示するデータを取得するデータ取得ステップと、
取得したデータのうち、前記付属情報レイアウト定義マスタに設定された前記表示対象項目について、前記レイアウトの設定に基づいて前記付属情報を画面に表示するデータ表示ステップと、
を含むことを特徴とする情報表示方法。
【請求項７】
記憶部と制御部とを備え、デジタルダッシュボードの表示情報を表示後、別途必要な付属情報を表示する情報表示装置で実行させるための情報表示プログラムであって、
前記記憶部には、
前記付属情報を表示するデータを取得するデータ取得対象と、該データ取得対象に対してどの項目を抽出条件としてデータを取得するかを決める抽出条件項目とを設定する付属情報取得定義マスタと、
前記付属情報を表示するデータをどのタイミングで取得するかを決める取得タイミングと、どの項目を前記抽出条件として受け渡すかを決める受け渡し項目とを設定する付属情報抽出条件定義マスタと、
取得した前記データのどの項目を表示対象とするかを決める表示対象項目と、該表示対象項目をどのように画面に表示するかを決めるレイアウトとを設定する付属情報レイアウト定義マスタと、
を含み、
前記制御部で実行させるための、
前記付属情報抽出条件定義マスタに設定された前記取得タイミングが到来すると、前記付属情報取得定義マスタに設定された前記データ取得対象を参照し、該データ取得対象から前記抽出条件項目と、前記付属情報抽出条件定義マスタに設定された前記受け渡し項目とに基づいて前記付属情報を表示するデータを取得するデータ取得ステップと、
取得したデータのうち、前記付属情報レイアウト定義マスタに設定された前記表示対象項目について、前記レイアウトの設定に基づいて前記付属情報を画面に表示するデータ表示ステップと、
を含むことを特徴とする情報表示プログラム。
【発明の詳細な説明】
【技術分野】
【０００１】
本発明は、情報表示装置、情報表示方法および情報表示プログラムに関する。
【背景技術】
【０００２】
特許文献１の請求項６等には、複数の検索結果から出力された複数のレポートを同一画面上に配置し、それらの複数のレポートを連動して操作することができるダッシュボードが開示されている。特に、特許文献１の段落００９４等には、ダッシュボードの一覧の中から「商品番号」といった抽出条件項目を選択すると、「商品別売上一覧」、「月次売上推移」、「担当者別実績」、および「顧客別売上ランキング」等のレポートを表示できることが開示されている。
【先行技術文献】
【特許文献】
【０００３】
【特許文献１】特開２０１６−１４６２０５号公報
【発明の概要】
【発明が解決しようとする課題】
【０００４】
しかしながら、このような特許文献１にあっては、デジタルダッシュボードの表示情報に対し、別途必要な付属情報をデータベースから取得して表示することができるが、表示する可能性のあるデータを全て保持しようとすると、データ容量が肥大化すると共に、リアルタイムにデータの変化を捉えることができないという課題があった。また、特許文献１では、付属情報を表示する際に、表示位置などのレイアウト設定も行うことができなかった。
【０００５】
本発明は、上記問題点に鑑みてなされたものであって、デジタルダッシュボードの表示情報に対し、別途表示したい付属情報を必要なタイミングで、必要な分だけデータを取得できると共に、付属情報の表示レイアウトを設定することができる情報表示装置、情報表示方法および情報表示プログラムを提供することを目的とする。
【課題を解決するための手段】
【０００６】
上述した課題を解決し、目的を達成するために、本発明にかかる情報表示装置は、記憶部と制御部とを備え、デジタルダッシュボードの表示情報を表示後、別途必要な付属情報を表示する情報表示装置であって、前記記憶部には、前記付属情報を表示するデータを取得するデータ取得対象と、該データ取得対象に対してどの項目を抽出条件としてデータを取得するかを決める抽出条件項目とを設定する付属情報取得定義マスタと、前記付属情報を表示するデータをどのタイミングで取得するかを決める取得タイミングと、どの項目を前記抽出条件として受け渡すかを決める受け渡し項目とを設定する付属情報抽出条件定義マスタと、取得した前記データのどの項目を表示対象とするかを決める表示対象項目と、該表示対象項目をどのように画面に表示するかを決めるレイアウトとを設定する付属情報レイアウト定義マスタと、を含み、前記制御部は、前記付属情報抽出条件定義マスタに設定された前記取得タイミングが到来すると、前記付属情報取得定義マスタに設定された前記データ取得対象を参照し、該データ取得対象から前記抽出条件項目と、前記付属情報抽出条件定義マスタに設定された前記受け渡し項目とに基づいて前記付属情報を表示するデータを取得するデータ取得手段と、取得したデータのうち、前記付属情報レイアウト定義マスタに設定された前記表示対象項目について、前記レイアウトの設定に基づいて前記付属情報を画面に表示するデータ表示手段と、を備えたことを特徴とする。
【０００７】
また、本発明にかかる情報表示装置は、前記記憶部には、データベースとして前記付属情報を表示するデータを記憶する付属情報表示データ記憶部を更に含み、前記付属情報取得定義マスタに設定されるデータ取得対象は、前記付属情報表示データ記憶部であることを特徴とする。
【０００８】
また、本発明にかかる情報表示装置は、前記付属情報抽出条件定義マスタに設定される取得タイミングは、設定された前記受け渡し項目が画面上で一意になったタイミングであることを特徴とする。
【０００９】
また、本発明にかかる情報表示装置は、前記付属情報レイアウト定義マスタに設定されるレイアウトは、前記付属情報の配置、サイズ、色、および文字や画像などの表示形式のうち少なくとも一つであることを特徴とする。
【００１０】
また、本発明にかかる情報表示装置は、前記制御部は、取得したデータを集計するデータ集計手段を更に備えたことを特徴とする。
【００１１】
また、本発明にかかる情報表示方法は、記憶部と制御部とを備え、デジタルダッシュボードの表示情報を表示後、別途必要な付属情報を表示する情報表示装置で実行される情報表示方法であって、前記記憶部には、前記付属情報を表示するデータを取得するデータ取得対象と、該データ取得対象に対してどの項目を抽出条件としてデータを取得するかを決める抽出条件項目とを設定する付属情報取得定義マスタと、前記付属情報を表示するデータをどのタイミングで取得するかを決める取得タイミングと、どの項目を前記抽出条件として受け渡すかを決める受け渡し項目とを設定する付属情報抽出条件定義マスタと、取得した前記データのどの項目を表示対象とするかを決める表示対象項目と、該表示対象項目をどのように画面に表示するかを決めるレイアウトとを設定する付属情報レイアウト定義マスタと、を含み、前記制御部で実行される、前記付属情報抽出条件定義マスタに設定された前記取得タイミングが到来すると、前記付属情報取得定義マスタに設定された前記データ取得対象を参照し、該データ取得対象から前記抽出条件項目と、前記付属情報抽出条件定義マスタに設定された前記受け渡し項目とに基づいて前記付属情報を表示するデータを取得するデータ取得ステップと、取得したデータのうち、前記付属情報レイアウト定義マスタに設定された前記表示対象項目について、前記レイアウトの設定に基づいて前記付属情報を画面に表示するデータ表示ステップと、を含むことを特徴とする。
【００１２】
また、本発明にかかる情報表示プログラムは、記憶部と制御部とを備え、デジタルダッシュボードの表示情報を表示後、別途必要な付属情報を表示する情報表示装置で実行させるための情報表示プログラムであって、前記記憶部には、前記付属情報を表示するデータを取得するデータ取得対象と、該データ取得対象に対してどの項目を抽出条件としてデータを取得するかを決める抽出条件項目とを設定する付属情報取得定義マスタと、前記付属情報を表示するデータをどのタイミングで取得するかを決める取得タイミングと、どの項目を前記抽出条件として受け渡すかを決める受け渡し項目とを設定する付属情報抽出条件定義マスタと、取得した前記データのどの項目を表示対象とするかを決める表示対象項目と、該表示対象項目をどのように画面に表示するかを決めるレイアウトとを設定する付属情報レイアウト定義マスタと、を含み、前記制御部で実行させるための、前記付属情報抽出条件定義マスタに設定された前記取得タイミングが到来すると、前記付属情報取得定義マスタに設定された前記データ取得対象を参照し、該データ取得対象から前記抽出条件項目と、前記付属情報抽出条件定義マスタに設定された前記受け渡し項目とに基づいて前記付属情報を表示するデータを取得するデータ取得ステップと、取得したデータのうち、前記付属情報レイアウト定義マスタに設定された前記表示対象項目について、前記レイアウトの設定に基づいて前記付属情報を画面に表示するデータ表示ステップと、を含むことを特徴とする。
【発明の効果】
【００１３】
本発明によれば、デジタルダッシュボードの表示情報に対し、別途表示したい付属情報を必要なタイミングで、必要な分だけデータを取得できると共に、付属情報の表示レイアウトを設定することができるという効果を奏する。
【図面の簡単な説明】
【００１４】
【図１】図１は、情報表示システムの構成の一例を示すブロック図である。
【図２】図２は、情報表示システムで実行される処理の一例を示すフローチャートである。
【図３】図３は、付属情報取得定義マスタのデータ取得対象である商品マスタデータの一例を示す図である。
【図４】図４は、付属情報抽出条件定義マスタの取得タイミングの画面例を示す図である。
【図５】図５は、付属情報レイアウト定義マスタの表示対象項目の画面例を示す図である。
【図６】図６は、照会画面で抽出条件項目を入力してデータ表示ボタンを押下する処理手順の一例を示す図である。
【図７】図７は、売上データに基づいて売上推移表を作成して表示する処理手順の一例を示す図である。
【図８】図８は、商品コードを選択し商品マスタデータから付属情報を取得して表示する処理手順の一例を示す図である。
【図９】図９は、図８で付属情報を取得する商品マスタデータの一例を示す図である。
【図１０】図１０は、文字と画像の付属情報を表示した照会画面例を示す図である。
【図１１】図１１は、本実施形態における売上データの一例を示す図である。
【図１２】図１２は、本実施形態における商品マスタデータの一例を示す図である。
【図１３】図１３は、本実施形態における照会画面の情報表示の一例を示す図である。
【図１４】図１４は、比較例における表示用データの一例を示す図である。
【図１５】図１５は、比較例における照会画面の情報表示の一例を示す図である。
【発明を実施するための形態】
【００１５】
本発明にかかる情報表示装置、情報表示方法および情報表示プログラムの実施形態を、図面に基づいて詳細に説明する。なお、本発明は本実施形態により限定されるものではない。
【００１６】
［１．概要］
従来のデジタルダッシュボードは、表示したいデータをあらかじめ取得して保持しておき、その保持データに対して表示形式や集計方法を定義して表示するのが一般的であった。このように、表示する可能性のあるデータは、付属情報も含めて全て保持しておく必要があるため、データ容量が肥大化すると共に、リアルタイムにデータの変化を捉えることができないという問題があった。
【００１７】
そこで、本実施形態では、デジタルダッシュボードの表示データに対して、画面表示後に別途必要な付属情報をデータベースから取得して表示する仕組みを備えている。具体的には、付属情報の取得タイミングと、付属情報を取得する対象と、付属情報を表示する表示形式とを予め設定しておくことで、デジタルダッシュボードのデータ表示後であっても、必要なタイミングで必要な分だけデータを取得して、所望のレイアウトで表示することができる。その結果、データ容量の肥大化を防いで、リアルタイムのデータ参照を実現することができる。
【００１８】
［２．構成］
本発明に包含される本実施形態にかかる情報表示システムの一構成例について、図１、および、図３〜図５を参照して説明する。図１は、情報表示システムの構成の一例を示すブロック図である。図３は、付属情報取得定義マスタのデータ取得対象である商品マスタデータの一例を示す図である。図４は、付属情報抽出条件定義マスタの取得タイミングの画面例を示す図である。図５は、付属情報レイアウト定義マスタの表示対象項目の画面例を示す図である。
【００１９】
情報表示システムは、情報表示装置１００とサーバ２００とネットワーク３００とで構成されている。情報表示装置１００は、業務データ（企業内に蓄積された膨大なデータ）を分析用にグラフ等で可視化して経営数値等を分析し易く表示するデジタルダッシュボード用の表示装置である。ここでは、常時更新される業務データをサーバ２００側で管理し、情報表示装置１００は、デジタルダッシュボードの表示情報を表示した後、別途必要な付属情報を表示する際に、サーバ２００に対して必要なタイミングで必要な分の最新データを取得し、表示することができる。
【００２０】
情報表示装置１００は、業務データを管理する業務アプリケーション（例えば、Ｗｅｂアプリケーションなど）がインストールされた市販のデスクトップ型パーソナルコンピュータである。なお、情報表示装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２１】
情報表示装置１００は、制御部１０２と通信インターフェース部１０４と記憶部１０６と入出力インターフェース部１０８と、を備えている。情報表示装置１００が備えている各部は、任意の通信路を介して通信可能に接続されている。
【００２２】
通信インターフェース部１０４は、ルータ等の通信装置および専用線等の有線又は無線の通信回線を介して、情報表示装置１００をネットワーク３００に通信可能に接続する。通信インターフェース部１０４は、他の装置と通信回線を介してデータを通信する機能を有する。ここで、ネットワーク３００は、情報表示装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。ここで、記憶部１０６は、付属情報取得定義マスタ１０６ａ、付属情報抽出条件定義マスタ１０６ｂ、付属情報レイアウト定義マスタ１０６ｃ等を備えている。
【００２４】
付属情報取得定義マスタ１０６ａは、付属情報を表示するデータをどこから取得するかという「データ取得対象」と、どの項目を条件としてデータ取得するかという「抽出条件項目」とを設定する定義マスタである。例えば、図３に示すように、「データ取得対象」を業務データの管理を行うデータベースとしての商品マスタデータ２０６ｂとし、「抽出条件項目」を破線枠２０６ｂ−１で囲った“商品コード”と“改定日”として定義した一例を示している。
【００２５】
付属情報抽出条件定義マスタ１０６ｂは、付属情報を表示するデータをどのタイミングで取得するかを決める「取得タイミング」と、どの項目を抽出条件として受け渡すのかを決める「受け渡し項目」とを設定する定義マスタである。例えば、図４に示すように、「受け渡し項目」を“画面上の商品コード”と“抽出条件の基準日”とし、「取得タイミング」を「データが一意になった時」と設定したとする。そして、図４の照会画面ＭＡ１以前に基準日の指定があり、図４の画面上で商品コードＣＤ１の“Ｓ００１”が指定されるとデータが一意になるため、「受け渡し項目」の“画面上の商品コード”と“抽出条件の基準日”とを抽出条件としてサーバ２００側に受け渡すことで、その抽出条件に合った付属情報を取得することができる。
【００２６】
付属情報レイアウト定義マスタ１０６ｃは、取得した付属情報を表示するデータのどの項目を表示対象とするかを決める「表示対象項目」と、その表示対象項目をどのように画面に表示するかを決める「レイアウト」とを設定する定義マスタである。例えば、図５に示すように、付属情報ＡＤ１の「表示対象項目」として“商品コード”、“商品名”、“色”、“最終入荷日”、“値段”のように設定し、「レイアウト」としては文字を表示するか画像を表示するかの“表示形式”、画面上の表示位置に関する“配置”、付属情報全体の表示サイズに関する“サイズ”、文字表示の場合のフォント種類に関する“文字フォント”、文字や画像の色に関する“色”などの項目を設定することができる。ここでは、レイアウト関連で設定可能な項目を例示列挙したが、これに限定されず、文字や画像を組み合わせたり、表示位置を複数箇所としたり、色やフォントの種類なども複数組み合わせたり、これ以外の項目を設定したりしてもよい。
【００２７】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２８】
制御部１０２は、情報表示装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、データ取得手段としてのデータ取得部１０２ａ、データ表示手段としてのデータ表示部１０２ｂ、データ集計手段としてのデータ集計部１０２ｃ等を備えている。
【００２９】
データ取得部１０２ａは、付属情報抽出条件定義マスタ１０６ｂに設定された取得タイミングが到来すると、付属情報取得定義マスタ１０６ａに設定されたデータ取得対象を参照して、データ取得対象から抽出条件項目と付属情報抽出条件定義マスタ１０６ｂに設定された受け渡し項目とに基づいて付属情報を表示するデータを取得する。
【００３０】
データ表示部１０２ｂは、取得した付属情報を表示するデータのうち、付属情報レイアウト定義マスタ１０６ｃに設定された表示対象項目をレイアウトの設定に基づいて画面上に付属情報を表示する。
【００３１】
データ集計部１０２ｃは、取得したデータを集計するものであり、例えば取得した売上データを集計することで売上推移表を作成したり、売上データを商品コードで絞り込んだ結果を再集計することで売上推移表を再作成したりする。
【００３２】
サーバ２００は、業務アプリケーションの管理下にある業務データ（例えば、売上データ、商品マスタデータなど）を格納している。なお、本実施形態では、Ｗｅｂシステムを採用したため、業務データを管理するサーバ２００がネットワーク３００を介して情報表示装置１００と接続されている例を示したが、業務データを管理するデータベース（売上データ、商品マスタデータなど）を情報表示装置１００の記憶部１０６内に配置する構成としてもよい。その場合もデータベースの更新は、常時行われ、常に最新データが保持されるようにする。
【００３３】
サーバ２００は、制御部２０２と、通信インターフェース部２０４と、記憶部２０６とを備えている。サーバ２００が備えている各部は、任意の通信路を介して通信可能に接続されている。
【００３４】
通信インターフェース部２０４は、ルータ等の通信装置及び専用線等の有線又は無線の通信回線を介して、サーバ２００をネットワーク３００に通信可能に接続する。通信インターフェース部２０４は、他の装置と通信回線を介してデータを通信する機能を有する。
【００３５】
記憶部２０６には、各種のデータベース、テーブル、およびファイルなどが格納される。記憶部２０６には、ＯＳと協働してＣＰＵに命令を与えて各種処理を行うためのコンピュータプログラムが記録される。記憶部２０６として、例えば、ＲＡＭ・ＲＯＭ等のメモリ装置、ハードディスクのような固定ディスク装置、フレキシブルディスク、及び光ディスク等を用いることができる。ここで、記憶部２０６は、売上データ２０６ａ、商品マスタデータ２０６ｂ等を備えている。
【００３６】
売上データ２０６ａは、デジタルダッシュボードの表示情報を保持しているデータベースである。例えば図７に示すように、デジタルダッシュボードに表示する元データとしての売上データ２０６ａをデータ集計部１０２ｃで集計することにより、売上推移表ＳＣ１などを表示することができる。
【００３７】
商品マスタデータ２０６ｂは、付属情報を表示するデータを保持している付属情報表示データ記憶部としてのデータベースである。付属情報を表示する場合は、付属情報抽出条件定義マスタ１０６ｂに設定された「受け渡し項目」と「取得タイミング」とに基づいて、データが一意になったタイミングで付属情報を表示するデータの取得処理を実行する。その際、付属情報取得定義マスタ１０６ａに設定された「データ取得対象」が商品マスタデータ２０６ｂである場合は、これを参照し、「抽出条件項目」と「受け渡し項目」の設定に基づいて、例えば図９に示す商品マスタデータ２０６ｂの商品コードＣＤ１が“Ｓ００１”で、改定日が“２０１６／０６／０１”の破線枠内のデータを取得し、これを付属情報として表示する。
【００３８】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部２０２は、機能概念的に、データ管理部２０２ａ等を備えている。
【００３９】
データ管理部２０２ａは、記憶部２０６に含まれる売上データ２０６ａおよび商品マスタデータ２０６ｂ等のデータを管理するものである。データ管理部２０２ａは、情報表示装置１００のデータ取得部１０２ａから付属情報抽出条件定義マスタ１０６ｂの「取得タイミング」で抽出条件としての「受け渡し項目」を受け取ると、商品マスタデータ２０６ｂを参照して該当するデータを抽出し、通信インターフェース部２０４，１０４およびネットワーク３００を介して情報表示装置１００に送る。
【００４０】
［３．具体例］
本実施形態の具体例について、図２、図６〜図１５を参照して、本実施形態にかかる情報表示装置１００の処理の一例について説明する。図２は、情報表示システムで実行される処理の一例を示すフローチャートである。図６は、照会画面で抽出条件項目を入力してデータ表示ボタンを押下する処理手順の一例を示す図である。図７は、売上データに基づいて売上推移表を作成して表示する処理手順の一例を示す図である。図８は、商品コードを選択し商品マスタデータから付属情報を取得して表示する処理手順の一例を示す図である。図９は、図８で付属情報を取得する商品マスタデータの一例を示す図である。図１０は、文字と画像の付属情報を表示した照会画面例を示す図である。図１１は、本実施形態における売上データの一例を示す図である。図１２は、本実施形態における商品マスタデータの一例を示す図である。図１３は、本実施形態における照会画面の情報表示の一例を示す図である。図１４は、比較例における表示用データの一例を示す図である。図１５は、比較例における照会画面の情報表示の一例を示す図である。
【００４１】
本実施形態にかかる情報表示装置１００は、複数の店舗において商品（ここでは、衣類としてのＴシャツ）の販売を行った売上データ等の業務データをデータベースに蓄積し、分析用としてグラフ等で可視化して経営数値等を分析し易く表示するデジタルダッシュボード用の表示装置である。情報表示装置１００は、デジタルダッシュボードの主たる表示データを表示後、別途表示したい付属情報がある場合には追加表示を行うことができる。
【００４２】
デジタルダッシュボードの主たる表示データを表示する場合、情報表示装置１００は、図１に示すように、出力装置１１４に照会画面を起動し、入力装置１１２からデジタルダッシュボードの表示するデータの抽出条件を入力する。例えば、図６に示すように、照会画面ＭＡ１の抽出条件項目ＥＣ１に、売上推移表を表示するためのデータ抽出条件として、“基準日”（２０１６／０６／０１）、“開始年月”（２０１６／０４）、および“終了年月”（２０１６／０７）を入力し、データ表示ボタンＤＢ１を押下する。
【００４３】
データ取得部１０２ａは、入力された抽出条件を通信インターフェース部１０４、ネットワーク３００、およびサーバ２００側の通信インターフェース部２０４を介してデータ管理部２０２ａへ渡す。データ管理部２０２ａは、図７に示すように、受け取った抽出条件に適合する売上データ２０６ａを抽出して情報表示装置１００へ送信する。情報表示装置１００は、受け取った売上データ２０６ａをデータ集計部１０２ｃで集計することで、図７の照会画面ＭＡ１に示すような売上推移表ＳＣ１を表示することができる。なお、図７の売上データ２０６ａに表示されている“商品コード”は、“Ｓ００１”のみであるが、実際には“Ｓ００１”〜“Ｓ００３”の商品コードの全てのデータを抽出し、店舗別、売上年月毎に集計した結果が図７に示す売上推移表ＳＣ１である。
【００４４】
このように、デジタルダッシュボードの主たる表示データである売上推移表ＳＣ１を照会画面ＭＡ１に表示した後、別途必要な付属情報を表示する場合の処理について説明する。ここでは、図７に示す照会画面ＭＡ１には、表示データを絞り込むためのフィルターＦＴ１が配置されており、このフィルターＦＴ１を使って付属情報を表示すると共に、デジタルダッシュボードの主たる表示データである売上推移表ＳＣ１の表示データの絞り込みも行うようにする。
【００４５】
まず、図２に示すように、付属情報を表示するデータを取得する付属情報取得処理（ステップＳＡ−１）を行う。オペレータは、図８に示すように、照会画面ＭＡ１上のフィルターＦＴ１の商品コードＣＤ１の“Ｓ００１”を選択する。すると、情報表示装置１００のデータ取得部１０２ａは、図１に示すように、付属情報抽出条件定義マスタ１０６ｂに事前設定されている「受け渡し項目」の“抽出条件の基準日”が図６で指定され、“画面上の商品コード”が図８で指定されたことで、データが一意となり「取得タイミング」が到来したと判断する。これにより、データ取得部１０２ａは、図９に示すように、サーバ２００に対し「データ取得対象」を商品マスタデータ２０６ｂとし、付属情報抽出条件定義マスタ１０６ｂの「受け渡し項目」を受け渡すと、データ管理部２０２ａが「抽出条件項目」の“商品コード”と“改定日”とが一致したデータ（図９の商品コードＣＤ１の破線枠内のデータ）を商品マスタデータ２０６ｂから抽出し、情報表示装置１００へ送信することで、付属情報を表示するデータを取得することができる。
【００４６】
情報表示装置１００のデータ表示部１０２ｂは、取得した図９に示すデータを付属情報レイアウト定義マスタ１０６ｃに事前設定された「表示対象項目」と「レイアウト」に従って画面上に付属情報を表示する、付属情報表示処理（ステップＳＡ−２）を行う。具体的な「表示対象項目」としては、図８に示すように、“商品コード”（Ｓ００１）、“商品名”（Ｔシャツ００１）、“色”（赤）、“最終入荷日”（２０１６／０５／０１）、“値段”（￥６，５００）とし、「レイアウト」設定の“サイズ”（縦２０ｐｘ・横５０ｐｘ）に従って、表形式の中に文字を入れた付属情報ＡＤ１を表示することができる。
【００４７】
この時、図７に示す売上推移表ＳＣ１では、“商品コード”が“Ｓ００１”〜“Ｓ００３”の全ての商品について集計した売上の推移を表示している。これに対し、図８に示す売上推移表ＳＣ１では、付属情報ＡＤ１を表示する際に、フィルターＦＴ１により商品コードＣＤ１を“Ｓ００１”に絞っているため、売上推移表ＳＣ１もこれに合わせて集計し直して表示するようにしてもよい。具体的には、図７に示すように、データ取得部１０２ａが取得した売上データ２０６ａをデータ集計部１０２ｃで再集計する際に、フィルターＦＴ１で商品コードＣＤ１を“Ｓ００１”に絞り込むようにする。これにより、図８に示す照会画面ＭＡ１では、フィルターＦＴ１で商品コードＣＤ１を“Ｓ００１”に指定したタイミングで、商品マスタデータ２０６ｂからデータを取得して付属情報ＡＤ１を表示すると同時に、売上データ２０６ａから取得したデータに対しデータ集計部１０２ｃが商品コードＣＤ１を“Ｓ００１”に絞り込んで再集計した結果を売上推移表ＳＣ１として再表示する。
【００４８】
また、本実施形態にかかる情報表示装置１００は、付属情報の表示形式を図１０に示すように表示することもできる。つまり、情報表示装置１００は、付属情報レイアウト定義マスタ１０６ｃの「表示対象項目」に新たに“Ｔシャツ画像”を加え、「レイアウト」設定として表形式の中に文字を入れた画像の右横に商品画像を追加する。これにより、表示される付属情報ＡＤ１は、図１０に示すように、“商品コード”（Ｓ００１）、“商品名”（Ｔシャツ００１）、“色”（赤）、“最終入荷日”（２０１６／０５／０１）、“値段”（￥６，５００）に加えて、赤のＴシャツ画像ＡＤ１ａ（図面上は赤で表示しない）を表示することができる。
【００４９】
なお、図８に示すデジタルダッシュボードの画面では、売上推移表ＳＣ１の値も付属情報ＡＤ１と同様に商品コードＣＤ１を“Ｓ００１”に絞って表示したが、必ずしもこれに限定されない。例えば、図１０に示すように、フィルターＦＴ１では商品コードＣＤ１を“Ｓ００１”に絞って付属情報ＡＤ１を表示しているが、売上推移表ＳＣ１は商品コードＣＤ１を“Ｓ００１”に絞ることなく、“Ｓ００１”〜“Ｓ００３”の集計結果をそのまま表示させておくことも可能である。
【００５０】
以下では、本実施形態にかかるデジタルダッシュボードと、比較例にかかるデジタルダッシュボードの表示方法の違いを図１１〜図１５を用いて比較し、本実施形態にかかる情報表示装置の効果について説明する。
【００５１】
（本実施形態にかかるデジタルダッシュボード）
本実施形態にかかる情報表示装置１００は、デジタルダッシュボードの主たる表示データの元データとして、図１１に示す売上データ２０６ａを集計することで、図１３に示すような売上推移表ＳＣ１を作成し、表示している。そして、本実施形態の情報表示装置１００は、デジタルダッシュボードの主たる表示データ（売上推移表ＳＣ１）を表示後、別途必要な付属情報を表示したい場合は、売上データ２０６ａとは別口で付属情報を表示するためのデータを必要なタイミングで、必要な分だけ専用のデータベース（ここでは、図１２の商品マスタデータ２０６ｂ）から取得するため、事前に付属情報取得定義マスタ１０６ａ、付属情報抽出条件定義マスタ１０６ｂ、および付属情報レイアウト定義マスタ１０６ｃなどを設定している。このため、デジタルダッシュボードの主たる表示データの表示タイミングや表示内容に拘束されることがなくなり、リアルタイムで更新されるデータベースから必要なデータを、必要なタイミングで、必要な分だけ取得して、図１３に示すような付属情報ＡＤ１を表示することができる。
【００５２】
このように、本実施形態にかかる情報表示装置１００によれば、事前に表示データを全て準備する必要が無くなり、データ容量の肥大化が抑制できると共に、付属情報を表示するデータをリアルタイムに取得できることからデータの変化にも対応することが可能となる。
【００５３】
（比較例にかかるデジタルダッシュボード）
これに対し、比較例の場合は、図１４に示すように、デジタルダッシュボードとして表示するデータを表示用データＤＤ１として事前に全て保持しておく必要があった。つまり、図１５に示すように、照会画面ＭＡ２の売上推移表ＳＣ２は、図１３に示す付属情報ＡＤ１と売上推移表ＳＣ１に相当する内容を一緒に表示しているため、表示用データＤＤ１を分けて保持しておくことができず、データ容量が肥大化するという問題があった。また、デジタルダッシュボードの表示内容を更新しようとすると、表示用データＤＤ１を一旦破棄し、再度新たな表示用データＤＤ１を全て準備する必要があるため、非常に手間がかかり、データの更新処理を容易に行うことができなかった。このため、デジタルダッシュボードの本来の目的は、業務データを分析して企業の意思決定に活用するものであり、常に新しいデータに基づいて分析する必要があるにも関わらず、比較例のデジタルダッシュボードではそれが困難であった。
【００５４】
［４．他の実施形態］
本発明は、上述した実施形態以外にも、特許請求の範囲に記載した技術的思想の範囲内において種々の異なる実施形態にて実施されてよいものである。
【００５５】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５６】
また、本明細書中や図面中で示した処理手順、制御手順、具体的名称、各処理の登録データや検索条件等のパラメータを含む情報、画面例、データベース構成については、特記する場合を除いて任意に変更することができる。
【００５７】
また、情報表示装置１００に関して、図示の各構成要素は機能概念的なものであり、必ずしも物理的に図示の如く構成されていることを要しない。
【００５８】
例えば、情報表示装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて情報表示装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５９】
また、このコンピュータプログラムは、情報表示装置１００に対して任意のネットワークを介して接続されたアプリケーションプログラムサーバに記憶されていてもよく、必要に応じてその全部または一部をダウンロードすることも可能である。
【００６０】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６１】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６２】
記憶部に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６３】
また、情報表示装置１００は、既知のパーソナルコンピュータまたはワークステーション等の情報処理装置として構成してもよく、また、任意の周辺装置が接続された当該情報処理装置として構成してもよい。また、情報表示装置１００は、当該情報処理装置に本実施形態で説明した処理を実現させるソフトウェア（プログラムまたはデータ等を含む）を実装することにより実現してもよい。
【００６４】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６５】
本発明は、特に、ビジネスインテリジェンスツールとして企業内の業務データを分析用に可視化するデジタルダッシュボードの付属情報表示などに適用可能である。
【符号の説明】
【００６６】
１００  情報表示装置
１０２  制御部
１０２ａ  データ取得部
１０２ｂ  データ表示部
１０２ｃ  データ集計部
１０４  通信インターフェース部
１０６  記憶部
１０６ａ  付属情報取得定義マスタ
１０６ｂ  付属情報抽出条件定義マスタ
１０６ｃ  付属情報レイアウト定義マスタ
１０８  入出力インターフェース部
１１２  入力装置
１１４  出力装置
２００  サーバ
２０２  制御部
２０２ａ  データ管理部
２０４  通信インターフェース部
２０６  記憶部
２０６ａ  売上データ
２０６ｂ  商品マスタデータ
３００  ネットワーク
【図１】
2018165896.tif 000003
【図２】
2018165896.tif 000004
【図３】
2018165896.tif 000005
【図４】
2018165896.tif 000006
【図５】
2018165896.tif 000007
【図６】
2018165896.tif 000008
【図７】
2018165896.tif 000009
【図８】
2018165896.tif 000010
【図９】
2018165896.tif 000011
【図１０】
2018165896.tif 000012
【図１１】
2018165896.tif 000013
【図１２】
2018165896.tif 000014
【図１３】
2018165896.tif 000015
【図１４】
2018165896.tif 000016
【図１５】
2018165896.tif 000017